(57)【要約】    【課題】  印刷・製本用デバイスの使用予約表を効率よく作成し得る電子入稿システム、その制御方法、及び制御プログラムを提供する。    【解決手段】  発注された印刷物の注文情報に基づいて該印刷物を作成するための印刷・製本用デバイスの使用予約表を作成する場合に、複数の印刷・製本用デバイスに係る一覧予約表と共に表示されている注文情報をドラッグして一覧予約表の位置にドロップすることにより、このドロップ位置が示す印刷・製本用デバイスをこの注文情報に係る印刷・製本処理を行うためのデバイスとして自動的に初期設定すると共に、ドロップ位置に対応する日時をこの注文情報の印刷・製本処理の開始予約時間の初期値として自動的に設定し、ドロップされた注文情報から取得した印刷体裁、ページ数、部数などと、上記ドロップ位置が示す印刷・製本用デバイスの予め登録されている処理能力により、予想処理時間を自動的に計算して表示する。【選択図】      図２０
2005208689.tif 000002
【特許請求の範囲】
【請求項１】
電子原稿に含まれる原稿ファイル及び仕上げ設定に基づき処理時間を予測する予測手段と、
デバイスの使用予約表を予約状況と共に時系列で提示する提示手段と、
前記提示手段により提示された使用予約表へ前記電子原稿の指示がなされた場合に、前記予約状況と前記指示がなされた電子原稿の処理時間とに基づく警告表示を行なわせる警告制御手段と、
を有することを特徴とする電子入稿システム。
【請求項２】
ネットワークを介して発注された印刷物の注文情報を受注処理して管理する電子入稿システムにおいて、
前記発注された印刷物の注文情報に基づいて該印刷物を作成するための印刷・製本用デバイスの使用予約表を作成する業務を支援する支援手段と、前記印刷・製本用デバイスの処理速度、及び該処理速度の単位を設定する設定手段とを備え、
前記支援手段は、前記設定手段により設定された前記印刷・製本用デバイスの処理速度、該処理速度の単位、及び前記注文情報中の該処理速度の単位に対応する処理量の情報に基づいて、前記印刷物を作成するための該印刷・製本用デバイスの処理時間を算出する算出手段を有することを特徴とする電子入稿システム。
【請求項３】
前記設定手段は、前記印刷・製本用デバイスの種類が指定された場合に、該印刷・製本用デバイスの処理速度の単位を自動的に設定することを特徴とする請求項２に記載の電子入稿システム。
【請求項４】
前記支援手段は、複数の印刷・製本用デバイスに係る使用予約表を一覧表示したユーザインターフェース画面と共に前記注文情報を表示する表示制御手段を有し、該注文情報が該使用予約表の位置にドラッグ＆ドロップ操作されることにより、ドロップ位置が示す印刷・製本用デバイスを該注文情報に係る印刷・製本処理を行うためのデバイスとして初期設定すると共に、該ドロップ位置に対応する日時を該注文情報の印刷・製本処理の開始予約日時の初期値として設定することを特徴とする請求項２又は３に記載の電子入稿システム。
【請求項５】
前記算出手段は、前記ドラッグ＆ドロップ操作された注文情報からページ数、部数を抽出して前記処理量として使用することを特徴とする請求項２〜４の何れかに記載の電子入稿システム。
【請求項６】
前記印刷・製本用デバイスの印刷体裁、製本体裁に応じた処理負荷を設定する設定手段を有し、前記算出手段は、前記ドラッグ＆ドロップ操作された注文情報から抽出した印刷体裁、製本体裁の情報に対応する処理負荷に基づいて算出に係る前記処理時間を補正する補正手段を有することを特徴とする請求項２〜５の何れかに記載の電子入稿システム。
【請求項７】
前記支援手段は、初期値として設定した前記開始予約日時から前記算出手段により算出された処理時間、又は前記補正手段により補正された処理時間が経過した日時である終了予約日時が、当該印刷・製本用デバイスの既に予約されている他の予約の時間帯と重複するときは、該開始予約日時に対応する終了予約日時を該他の予約の時間帯と重複しないように調整する調整手段を有することを特徴とする請求項２〜６の何れかに記載の電子入稿システム。
【請求項８】
ネットワークを介して発注された印刷物の注文情報を受注処理して管理する電子入稿システムの制御方法であって、
前記発注された印刷物の注文情報に基づいて該印刷物を作成するための印刷・製本用デバイスの使用予定を組み立てる予定組立業務を支援する支援工程と、前記印刷・製本用デバイスの処理速度、及び該処理速度の単位を設定する設定工程を備え、
前記支援工程は、前記設定工程により設定された前記印刷・製本用デバイスの処理速度、該処理速度の単位、及び前記発注情報中の該処理速度の単位に対応する処理量の情報に基づいて、前記印刷物を作成するための該印刷・製本用デバイスの処理時間を算出する算出工程を有することを特徴とする電子入稿システムの制御方法。
【請求項９】
ネットワークを介して発注された印刷物の注文情報を受注処理して管理する電子入稿システムの制御プログラムであって、
前記発注された印刷物の注文情報に基づいて該印刷物を作成するための印刷・製本用デバイスの使用予約表を作成する業務を支援する支援処理と、前記印刷・製本用デバイスの処理速度、及び該処理速度の単位を設定する設定処理を行い、
前記支援処理は、前記設定処理により設定された前記印刷・製本用デバイスの処理速度、該処理速度の単位、及び前記注文情報中の該処理速度の単位に対応する処理量の情報に基づいて、前記印刷物を作成するための該印刷・製本用デバイスの処理時間を算出する算出処理を行う内容を有することを特徴とする制御プログラム。
【発明の詳細な説明】
【技術分野】
【０００１】
本発明は、印刷の発注、受注の管理やプリンタ等の印刷・製本用デバイスの使用予約を管理する電子入稿システム、その制御方法、及び制御プログラムに関し、特に印刷・製本用デバイスの使用予約（予定）の管理技術に関するものである。
【背景技術】
【０００２】
従来、ネットワークを介して発注された印刷物の注文情報を受注処理して管理する電子入稿システムが知られている（特許文献１）。
【０００３】
また、印刷システムにおいて、ユーザがプリントジョブが完了する時刻を入力し、プリントジョブの、印刷枚数等のジョブ情報とユーザの指定した情報とに基づき、ユーザの要望を満たすためのプリンタを自動的に選択し、スケジューリングを行なう印刷システムが知られている（特許文献２）。
【特許文献１】特開２００１−３１２３８１号公報
【特許文献２】ＵＳＰ５２８７１９４
【発明の開示】
【発明が解決しようとする課題】
【０００４】
しかしながら、電子入稿システムでは、印刷依頼者からの依頼内容はオンライン機器からオフライン機器（例えば製品装置）を利用するような複雑な処理を要する形態が多く、上記特許文献２に開示されるようなジョブスケジューリングの仕組みでは印刷・製本用デバイスの使用予約表に対応することができなかった。
【０００５】
さらに、印刷・製本に要する処理時間をユーザが予想して印刷・製本用デバイスの使用予約表を作成する場合は、他の予約との重複を回避するため処理時間を長めに予想するので、予想した処理時間が実際の処理時間より短い場合が多発し、印刷・製本用デバイスを有効に利用することができなかった。
【０００６】
そこで、本発明は、印刷・製本用デバイスの使用予約表を効率よく作成し得る電子入稿システム、その制御方法、及び制御プログラムを提供することを目的とする。
【課題を解決するための手段】
【０００７】
上記目的を達成するため、本発明に係る電子入稿システムは、電子原稿に含まれる原稿ファイル及び仕上げ設定に基づき処理時間を予測する予測手段と、デバイスの使用予約表を予約状況と共に時系列で提示する提示手段と、前記提示手段により提示された使用予約表へ前記電子原稿の指示がなされた場合に、前記予約状況と前記指示がなされた電子原稿の処理時間とに基づく警告表示を行なわせる警告制御手段とを有している。
【発明の効果】
【０００８】
本発明によれば、印刷・製本用デバイスの使用予約表を効率よく作成し得る電子入稿システム、その制御方法、及び制御プログラムを提供することが可能となる。
【発明を実施するための最良の形態】
【０００９】
以下、本発明を実施するための最良の形態を、図面を参照しながら詳細に説明する。
【００１０】
図１は、本発明の実施の形態に係る電子入稿システムの概略構成を示すシステム構成図である。図１において、印刷注文クライアント・コンピュータ（以下、印刷注文クライアントと称する）１０２、電子入稿システム・サーバ（以下、電子入稿サーバと称する）１０３、商品登録クライアント・コンピュータ（以下、商品登録クライアントと称する）１０４、及びオペレータ用クライアント・コンピュータ（以下、オペレータ用クライアントと称する）１０５は、それぞれ後述する処理に係るアプリケーションプログラム等の各種のプログラムを実行可能であり、ＬＡＮ、ＷＡＮ、インターネット等のネットワーク１０１に接続され、相互に通信可能となっている。
【００１１】
また、ネットワーク１０１にはプリンタ１０６、製本機器１０７も接続されている。プリンタ１０６は、オペレータ用クライアント１０５から送信される印字データを含む印刷ジョブを解析してドットイメージに変換して、１ページ毎に印刷する。なお、プリンタ１０６としては、電子写真方式を採用したレーザービームプリンタやインクジェット方式を採用したインクジェットプリンタや熱転写方式を利用したプリンタ、Ａ０などの大判印刷を行うプリンタ等、各種の印刷方式のものを使用することができる。製本機器１０７としては、くるみ製本機、断裁機など様々な機器を想定しているが、これらの機器は、必ずしもネットワーク１０１に接続されている必要はない。
【００１２】
なお、本実施形態では、少なくとも印刷注文クライアント１０２、プリンタ１０６は、ネットワーク１０１に複数台接続されていることを想定している。
【００１３】
電子入稿サーバ１０３は、印刷注文の受注、発注を管理するサーバであり、注文に関する情報、例えば、印刷体裁、製本設定、原稿ファイル、納品先情報、部数などの注文情報を保存している。この注文に関する情報のことをまとめて電子原稿と呼ぶこともある。電子入稿サーバ１０３は、Ｗｅｂサーバとして機能し、印刷注文クライアント１０２、商品登録クライアント１０４、オペレータ用クライアント１０５より、Ｗｅｂブラウザを使用してアクセスを可能となっている。ただし、印刷注文クライアント１０２、商品登録クライアント１０４、オペレータ用クライアント１０５上で動作する専用アプリケーション（Ｗｅｂブラウザとは限らない）から、例えばＴＣＰ／ＩＰやＨＴＴＰなどの通信プロトコルを使用して、電子入稿サーバ１０３にアクセスするように構成してもよい。
【００１４】
ユーザは、印刷注文を発注する場合、印刷注文クライアント１０２により、Ｗｅｂブラウザを介して電子入稿サーバ１０３にアクセスし、印刷体裁、製本設定、原稿ファイル、納品先情報、部数などを指定して、電子入稿サーバ１０３に対する発注処理を行う。この場合、ユーザは、商品情報を電子入稿サーバ１０３から印刷注文クライアント１０２にダウンロードし、その商品情報を参照して発注処理を行うことができる。
【００１５】
また、オペレータは、商品（受注側が用意する定型の印刷物）を登録する場合、商品登録クライアント１０４により、Ｗｅｂブラウザを介して電子入稿サーバ１０３にアクセスし、商品名などの商品情報、印刷体裁・製本設定、原稿ファイルなどを指定して、電子入稿サーバ１０３に対する商品登録処理を行う。なお、商品としては、印刷体裁、製本体裁だけが規定され、原稿ファイルはユーザが自由に指定できる商品と、印刷体裁、製本体裁、原稿ファイルの全てが規定されている商品との２種類がある。
【００１６】
印刷注文クライアント１０２、又は商品登録クライアント１０４により指定された商品情報、印刷体裁・製本設定、原稿ファイルなどは、電子入稿サーバ１０３にアップロードされ、電子入稿サーバ１０３で保存される。ただし、商品登録クライアント１０４により商品情報、印刷体裁・製本設定、原稿ファイルなどが指定された場合、印刷注文を発注するユーザが注文時に参照可能とすべき商品情報のみを電子入稿サーバ１０３にアップロードし、印刷体裁・製本設定、原稿ファイルなどは、別途設置した商品データ保存サーバ（図示省略）に送信して管理させてもよい。
【００１７】
オペレータは、受注処理、編集、印刷、配送処理、印刷デバイスのスケジュール管理などを行う場合、オペレータ用クライアント１０５により、Ｗｅｂブラウザを介して電子入稿サーバ１０３にアクセスし、電子入稿サーバ１０３から注文情報や原稿ファイルをダウンロードして、受注処理、編集、印刷、配送処理、印刷デバイスのスケジュール管理に係る作業を行う。なお、商品登録クライアント１０４とオペレータ用クライアント１０５は、１つのコンピュータで実現することも可能である。
【００１８】
図２は、本電子入稿システムのモジュール構成を示すブロック図である。
【００１９】
印刷注文クライアント１０２は、Ｗｅｂブラウザ１０２ａを有している。電子入稿サーバ１０３は、発注側Ｉ／Ｆ部１０３ａ、注文情報管理部１０３ｂ、受注側Ｉ／Ｆ部１０３ｃ、商品情報管理部１０３ｄを有している。オペレータ用クライアント１０５は、Ｗｅｂブラウザ１０５ａ、注文管理アプリケーション１０５ｂ、デバイススケジューラ１０５ｄを有している。また、商品登録クライアント１０４は、商品登録アプリケーション１０４ａを有している。
【００２０】
電子入稿サーバ１０３の発注側Ｉ／Ｆ部１０３ａは、印刷発注クライアント１０２とのインターフェース部であり、Ｗｅｂサーバとして機能し、ＨＴＴＰ（Ｈｙｐｅｒ  Ｔｅｘｔ  Ｔｒａｎｓｆｅｒ  Ｐｒｏｔｏｋｏｌ）、ＨＴＴＰＳ（Ｈｙｐｅｒ  Ｔｅｘｔ  Ｔｒａｎｓｆｅｒ  Ｐｒｏｔｏｋｏｌ  Ｓｅｃｕｒｅｒ  ｓｏｃｋｅｔｓ  ｌａｙｅｒ）などによる要求を受付可能である。注文情報管理部１０３ｂは、注文情報と入稿された原稿ファイルを組にして保存・管理する。また、印刷注文クライアント１０２を使用するユーザやオペレータ用クライアント１０５を使用するオペレータを管理し、印刷注文情報の処理ステータスや課金情報なども管理する。受注側Ｉ／Ｆ部１０３ｃは、集中印刷室（ＣＲＤ）やＰＯＤセンター、プリントショップなどと呼ばれる印刷注文を受注する側のコンピュータとのインターフェース部であり、発注側Ｉ／Ｆ部１０３ａと同様にＷｅｂサーバとして機能し、ＨＴＴＰ、ＨＴＴＰＳなどによる要求を受付可能である。
【００２１】
オペレータ用クライアント１０５の注文管理アプリケーション１０５ｂは、電子入稿サーバ１０３から取得した注文情報や原稿ファイルを表示すると共に、注文データ保存部１０５ｃに保存するアプリケーションである。デバイススケジューラ１０５ｄは、印刷・製本用のデバイス（プリンタ１０６、製本機１０７）の使用スケジューリング管理を行うアプリケーションである。このデバイススケジューラ１０５ｄは、複数の印刷・製本用のデバイスの使用予約に係るスケジュールを管理している。また、デバイススケジューラ１０５ｄは、注文管理アプリケーション１０５ｂと連動して印刷注文情報とスケジュール情報を関連付けて管理する機能も有している。
【００２２】
商品登録クライアント１０４の商品登録アプリケーション１０４ｂは、商品情報を登録するためのアプリケーションであり、この登録処理に際して商品情報、印刷体裁、原稿ファイルなどを指定するためのＵＩ（ユーザインターフェース）を有し、ユーザにより指定されたこれらのデータを、商品データ管理部１０４ｂにより、商品データ保存部１０４ｃに保存・登録する機能を有している。また、商品登録アプリケーション１０４ｂは、商品情報を電子入稿サーバ１０３に転送して登録させる機能も有している。
【００２３】
次に、印刷発注から受注までの処理の流れを説明する。
【００２４】
印刷注文クライアント１０２のＷｅｂブラウザ１０２ａを介して電子入稿サーバ１０３の発注側Ｉ／Ｆ部１０３ａにアクセスすると、まず、「出力・製本」メニュー、「登録商品注文」メニューの何れかを選択するためのＵＩ画面が印刷注文クライアント１０２の表示部に表示される。このＵＩ画面上で「出力・製本」メニューを選択すると、「出力・製本」メニューに係る注文メニュー選択フォーム（ＵＩ画面：図示省略）が電子入稿サーバ１０３の発注側Ｉ／Ｆ部１０３ａから印刷注文クライアント１０２に返信され、印刷注文クライアント１０２の表示部に表示される。なお、この注文メニュー選択フォームでは、後述する図３、図４の上部に示したような「仕上がり選択」、「入稿設定」、「印刷体裁の設定」、「納品情報の設定」、「依頼元の設定」、「オーダーの確認」の各メニュー（サブメニュー）を選択することができる。
【００２５】
この注文メニュー選択フォームに係るＵＩ画面上で「入稿」メニューを選択すると、図３に示したような原稿ファイルを入稿するためのＵＩ画面が同様に印刷注文クライアント１０２に返信されて表示される。なお、各注文メニューの項目は、何れのメニューが選択された場合でも、常時表示されている。原稿ファイル入稿用のＵＩ画面上で原稿ファイル、ページ数等を指定してアップロード（入稿）を指示すると、それら原稿ファイル、ページ数等が電子入稿サーバ１０３の発注側Ｉ／Ｆ部１０３ａにアップロードされる。このページ数は、印刷料金の見積りや、デバイスでの印刷などの処理における予想処理時間の計算などに使用される。また、１件の注文で、複数の印刷、商品を発注できる仕組みとなっており、それぞれの印刷物、商品に対して、印刷体裁、製本設定、納品先、部数、原稿ファイルなどを指定する。この１件の注文で発注される複数の印刷物、商品のそれぞれをサブオーダと呼ぶ。
【００２６】
図３の「入稿設定」に係るＵＩ画面上で「次」ボタンをクリックして「印刷体裁の設定」メニューに進むと、図４に示したような印刷体裁を設定するためのＵＩ画面が表示される。この「印刷体裁の設定」に係るＵＩ画面では、Ａ４等の仕上がりサイズ、原稿の調整（仕上がりサイズに応じた原稿の拡大／縮小）、くるみ製本等の製本の種類、綴じ方向、片面印刷／両面印刷、モノクロ印刷／カラー印刷、白黒標準紙等の用紙タイプ、表紙印刷の実行／非実行等を設定することができる。
【００２７】
なお、図示省略したが、「納品情報の設定」メニューでは、注文件名、納品先情報、部数などを設定することができ、「依頼元の設定」メニューでは、依頼者（発注者）の名称、メールアドレス、電話番号等を設定することができる。これら「出力・製本」メニューで設定されたオーダー情報は、図示省略した「オーダー情報の確認」メニューに係るＵＩ画面上で「オーダー」ボタンをクリックすることにより、電子入稿サーバ１０３の発注側Ｉ／Ｆ部１０３ａに送信（発注）される。
【００２８】
発注側Ｉ／Ｆ部１０３ａは、印刷注文クライアント１０２から送信されたオーダー情報（ＵＩ画面での各設定値）を解析して、所定のフォーマットで注文データを作成し、その注文データを原稿ファイル、ページ数と共に注文情報管理部１０３ｂに転送する。注文情報管理部１０３ｂは、オーダー情報を原稿ファイルと共にハードディスク等の所定の記憶媒体に追加・保存して管理すると共に、受注側Ｉ／Ｆ部１０３ｃを介して注文管理アプリケーション１０５ｂに新規発注があった旨を通知する。
【００２９】
この際、注文情報管理部１０３ｂは、新規に発注された注文の注文ＩＤのリストを注文管理アプリケーション１０５ｂに送信する。ただし、注文管理アプリケーション１０５ｂ側から、ＴＣＰ／ＩＰやＨＴＴＰ，ＨＴＴＰＳなどの通信プロトコルを使用し、定期的に、受注側Ｉ／Ｆ部１０３ｃに新規発注の有無を問合せるように構成してもよい。或いは、電子入稿サーバ１０３が新規発注を受けた際に、新規発注を通知するためのＥメールを注文情報管理部１０３ｂからオペレータ用クライアント１０５のオペレータ宛に送信し、そのＥメールを受け取ったオペレータが、オペレータ用クライアント１０５のＷｅｂブラウザ１０５ａを起動して、受注側Ｉ／Ｆ部１０３ｃにアクセスすることにより、オーダー情報の参照や原稿ファイルのダウンロードを可能とする構成であってもよい。
【００３０】
注文管理アプリケーション１０５ｂは、新規発注があった旨の通知を受けると、その新規発注に係るオーダー情報、原稿ファイルを電子入稿サーバ１０３からダウンロードし、注文データ保存部１０５ｃに保存する。この注文データ保存部１０５ｃとしては、オペレータ用クライアント１０５上のローカルハードディスク、ファイルサーバ（図示省略）上の共有ディレクトリ／フォルダ、文書管理システム（図示省略）などを使用することができる。
【００３１】
なお、注文管理アプリケーション１０５ｂは、新規発注がなされる毎に電子入稿サーバ１０３から送信されてくる注文ＩＤのリストを蓄積しており、その注文ＩＤのリストを表示することができる（図５参照）。そして、その注文ＩＤリストから注文ＩＤが選択されると、選択された注文ＩＤに係る詳細情報（印刷体裁、製本設定、原稿ファイル、納品先情報、部数など）を表示する（図５参照）。また、注文管理アプリケーション１０５ｂは、表示された原稿ファイルをオペレータの指示に基づいてオープンし、編集、印刷などの処理に供することができる。
【００３２】
図５は、注文管理アプリケーション１０５ｂのＵＩ画面例である。図５では、注文リスト部に注文の一覧と、その注文に属するサブオーダを階層構造で表示している。注文リスト部に表示された注文を選択すると、選択に係る注文の詳細な情報（注文者情報など）が詳細情報表示部に表示され、サブオーダを選択すると、各印刷物、商品に関する印刷体裁、製本設定、原稿ファイルの一覧、部数などが表示される。
【００３３】
次に、商品の登録及び注文処理の流れについて説明する。
【００３４】
商品登録クライアント１０４上の商品登録アプリケーション１０４ａは、商品情報（商品名、単価など）、印刷体裁、製本設定、原稿ファイルをユーザに指定させて登録するためのＵＩ画面を表示する機能を有している。このＵＩ画面から商品情報等が指定されると、商品登録アプリケーション１０４ａは、商品ＩＤを発行し、この商品ＩＤ、及び指定情報を商品データ管理部１０４ｂにより商品データ保存部１０４ｂにファイル形式で登録・保存させる。この際、商品データ管理部１０４ｂは、商品ＩＤをキーにして商品情報、印刷体裁、製本設定、原稿ファイルを検索して取得することができるように保存する。
【００３５】
商品データ保存部１０４ｂとしては、ファイルサーバ上の共有ディレクトリ／フォルダや文書管理システムなどを使用できる。さらに、商品登録アプリケーション１０４ａは、受注側Ｉ／Ｆ部１０３ｃを介して、商品情報等の指定情報と商品ＩＤを電子入稿サーバ１０３に送信する。電子入稿サーバ１０３は、送信された商品情報等の指定情報、商品ＩＤを商品情報管理部１０３ｄで保存・登録する。
【００３６】
印刷注文クライアント１０２上のＷｅｂブラウザ１０２ａにより、前述の「登録商品注文」メニュー（登録されている商品を注文するメニュー）を選択すると、電子入稿サーバ１０３の発注側Ｉ／Ｆ部１０３ａは、注文情報管理部１０３ｂを介して商品情報管理部１０３ｄから商品情報と商品ＩＤのリストを取得して商品注文フォーム（ＵＩ画面）を作成し、印刷注文クライアント１０２に返送する。ユーザが印刷注文クライアント１０２に表示されたＵＩ画面上で注文する商品を選択し、注文件名、納品先情報、部数などを入力して送信操作を行うと、それら情報が電子入稿サーバ１０３の発注側Ｉ／Ｆ部１０３ａに送信される。発注側Ｉ／Ｆ部１０３ａは、印刷注文クライアント１０２から送信された商品オーダー情報（ＵＩ画面での各設定値）を解析して、所定のフォーマットで注文データを作成し、その注文データを注文情報管理部１０３ｂに転送する。
【００３７】
注文情報管理部１０３ｂは、商品オーダー情報を原稿ファイルと共にハードディスク等の所定の記憶媒体に追加・保存して管理すると共に、受注側Ｉ／Ｆ部１０３ｃを介して、新規発注があった旨をオペレータ用クライアント１０５の注文管理アプリケーション１０５ｂに通知する。
【００３８】
注文管理アプリケーション１０５ｂは、新規発注の通知を受けると、商品オーダー情報（商品ＩＤを含む）を受注側Ｉ／Ｆ部１０３ｃを介して取得して解析する。その注文内容が、商品注文である場合には、注文管理アプリケーション１０５ｂは、注文された商品の商品ＩＤに対応する商品の印刷体裁データ、原稿ファイルなどを商品登録クライアント１０４の商品データ管理部１０４ｂを介して取得し、オペレータ用クライアント１０５のＵＩ画面上に表示する。
【００３９】
図６は、商品登録アプリケーション１０４ａのＵＩ画面例である。このＵＩ画面例では、商品を「ドキュメント」と表現しており、階層構造を持つカテゴリという概念で商品を分類している。１つのカテゴリには、複数のカテゴリと複数の商品を格納でき、商品登録アプリケーション１０４ａのＵＩ画面上でカテゴリを作成、削除することができる。このカテゴリとその階層構造は、注文を行うユーザが、印刷注文クライアント１０２のＵＩ画面上で前述の「登録商品注文」メニューを選択した際にも表示される。このカテゴリの階層を辿ることにより、多数の商品の中から、希望の商品を迅速に見つけることができるようにしている。
【００４０】
図７は、商品登録アプリケーション１０４ａにより作成、登録・管理される商品データを格納するためのデータファイルのフォーマットを示しており、図７（ａ）は、商品登録データのフォーマットを示し、図７（ｂ）は、カテゴリ構造管理データのフォーマットを示している。商品登録データファイルは、ＣＳＶ（Ｃｏｍｍａ  Ｓｅｐａｒａｔｅｄ  Ｖａｌｕｅ  ｆｏｒｍａｔ）形式とし各行が１つの商品、もしくはカテゴリを表している。
【００４１】
商品登録データファイルは、商品登録アプリケーション１０４ａにより作成された後、商品データ管理部１０４ｂにより、商品データ保存部１０４ｃに保存される。また、商品登録データファイルは、ユーザが商品登録アプリケーション１０４ａにより電子入稿サーバ１０３への登録を指示した場合に、ネットワーク１０１を介して、受注側Ｉ／Ｆ部１０３ｃへ送信される。この場合、受注側Ｉ／Ｆ部１０３ｃは、受信した商品登録データファイルを解析し、カテゴリ構造、商品情報を復元し、注文情報管理部１０３ｂを介して商品情報管理部１０３ｄに登録する。
【００４２】
本実施形態では、ネットワーク１０１のトラフィックを軽減するため、商品データだけを電子入稿サーバ１０３に送信するようにしている。ただし、印刷体裁情報、原稿ファイルなどを電子入稿サーバ１０３に送信するように構成してもよい。また、商品登録データファイルのフォーマットは、ＣＳＶではなくＸＭＬ（ｅＸｔｅｎｓｉｂｌｅ  Ｍａｒｋｕｐ  Ｌａｎｇｕａｇｅ）形式など別のフォーマットや形式のものを使用しても構わない。
【００４３】
本実施形態では、印刷注文データ、及び商品注文データについては、ＸＭＬ形式で記述している。図８、図９、図２３、図２４は、注文データのフォーマットを規定したＤＴＤ（Ｄｏｃｕｍｅｎｔ  Ｔｙｐｅ  Ｄｅｆｉｎｉｔｉｏｎ）の一部を示す図である。
【００４４】
図８の２行目〜３行目の要素を規定する＜！ＥＬＥＭＥＮＴに示したように、注文データは、注文情報（ＯｒｄｅｒＩｏｆｏ）（８２２）、注文者情報（Ｏｒｄｅｒｅｒ）（８３２）、課金情報（ＯｒｄｅｒＣｈａｒｇｅ）（９１３）、配送先情報（Ｄｅｌｉｖｅｒｙ）（９２６）などや、１つ以上のＳｕｂＯｒｄｅｒエレメント（９３５）を持ち、このＳｕｂＯｒｄｅｒエレメント以下に、商品や、印刷物に関する詳細な情報が記載される。ＳｕｂＯｒｄｅｒエレメントには、原稿ファイル情報（ＰｒｉｎｔＤａｔａ）（２３１３）、料金（Ｃｈａｒｇｅ）（９１４）、コスト（Ｃｏｓｔ）（９３２）などに関する情報と、印刷体裁、製本体裁などを記載するためのＰｒｏｄｕｃｔ（２３３７）エレメントを持つ。また、部数（ｃｏｐｙ属性）（９４１）を持つ。
【００４５】
Ｐｒｏｄｕｃｔエレメントは、本文（Ｂｏｄｙ）（２３４０）、表紙・裏表紙（Ｃｏｖｅｒ）（２４１１）、製本体裁（ＰｏｓｔＰｒｉｎｔ）（２４１５）エレメントを持ち、それぞれに、どの原稿ファイルの何ページ目を使用するか、また、それらの印刷順序を示した印刷ファイル情報（ＲｅｌａｔｅｄＰｒｉｎｔＤａｔａ）（２４０５）や、印刷体裁情報（Ｃａｔｅｇｏｒｙ−Ｅｎｕｍ）（２３２６、２３３０）を記載する。
【００４６】
印刷体裁情報は、Ｃａｔｅｇｏｒｙエレメントのｔｙｐｅ属性（２３２８）が印刷体裁・製本体裁項目を表し、そのＣａｔｅｇｏｒｙエレメント下にあるＥｎｕｍエレメントのｔｙｐｅ属性（２３３２）が該当印刷体裁・製本体裁の設定項目の設定値を表す。印刷体裁、製本体裁の設定項目としては、仕上りサイズ、原稿の調整、出力用紙の向き、製本の種類、とじ方向、片面印刷／両面印刷、カラーモード、用紙タイプ、パンチ穴、折り、断裁などがある。
【００４７】
表紙・裏表紙（Ｃｏｖｅｒ）における印刷体裁情報のＣａｔｅｇｏｒｙエレメントのｔｙｐｅ属性が”ｆｒｏｎｔＣｏｖｅｒＴｙｐｅ”であるものが表紙（表表紙）の印刷設定を示し、”ｂａｃｋＣｏｖｅｒＴｙｐｅ”であるものが裏表紙の印刷設定を示し、該当するＣａｔｅｇｏｒｙエレメント下のＥｎｕｍエレメントのｔｙｐｅ属性が”１ｓｉｄｅＰｒｉｎｔ”であれば「片面印刷」、”２ｓｉｄｅＰｒｉｎｔ”であれば「両面印刷」、”ｎｏｎＰｒｉｎｔ”であれば「印刷なし」を示す。該当するＣａｔｅｇｏｒｙエレメントが存在しない場合には、「表紙なし」や「裏表紙なし」を表す。
【００４８】
図１０〜図１３は、前述の「出力・製本」メニューに係るＵＩ画面から注文を行った場合に、受注側Ｉ／Ｆ部１０３ｃから注文管理アプリケーション１０５ｂに送信される印刷注文データ（ＸＭＬデータ）の一部を示す図である。
【００４９】
「出力・製本」メニューに係るＵＩ画面から印刷注文を行う場合には、印刷体裁・製本設定を指定し、さらに原稿ファイルのアップロードを行って注文処理が行われ、これらの情報が図８、図９、図２３、図２４のＤＴＤに従って注文データとして記載される。
【００５０】
図１４、図１５は、前述の「登録商品注文」メニューにより注文を行った場合に、受注側Ｉ／Ｆ部１０３ｃから注文管理アプリケーション１０５−２に送信される商品注文データ（ＸＭＬデータ）の一部を示す図である。
【００５１】
ＳｕｂＯｒｄｅｒエレメントのＲｅｌａｔｅｄＩｎｆｏエレメントのうち、ｋｅｙ属性が”ｆｌｏｗＮｏ”であるエレメントの“ｄａｔａ”属性の値により、商品注文、印刷注文の何れであるかを判別できるようにしている。ＳｕｂＯｒｄｅｒエレメントのＲｅｌａｔｅｄＩｎｆｏエレメントのうち、ｋｅｙ属性が”ｍａｎｕａｌＩｄ”であるエレメントの“ｄａｔａ”属性に、注文された商品の商品ＩＤを記載する。
【００５２】
各商品の印刷体裁や、原稿ファイルなどは、商品データ保存部１０４Ｃに保存されており、電子入稿サーバ１０３には送信されないため、図１４、図１５の商品注文データには、印刷体裁や、原稿ファイルなどに関する情報は記載されていない。このため、注文管理アプリケーション１０５ｂでは、商品注文データを解析して商品ＩＤを取得し、商品データ管理部１０４Ｃを介して対応する印刷体裁や、原稿ファイルなどに関する情報を取得する。商品データとして取得される印刷体裁・製本情報も図８、図９、図２３、図２４のＤＴＤに従ったＸＭＬファイルであり、ＳｕｂＯｒｄｅｒエレメントが１つだけ存在し、それ以下に印刷注文データと同様に印刷体裁・製本設定が記載されている。
【００５３】
次に、印刷・製本用デバイスのスケジュール管理を行う操作及び処理の流れについて説明する。
【００５４】
図１６、図１７は、オペレータ用クライアント１０５のデバイススケジューラ１０５ｄのメイン画面（ＵＩ画面）を示す図である。図１６は、「１日」タブ１００２を選択することにより表示されるＵＩ画面であり、カレンダーコントロール部１００１において選択された日付のスケジュールを表示している。図１７は、「週間」タブを選択することにより表示されるＵＩ画面であり、カレンダーコントロール部１００１において選択された日付以後の１週間のスケジュールを表示している。このように、図１６、図１７のＵＩ画面によりデバイスの使用予約表を空き状況と共に時系列で提示することができる。
【００５５】
デバイススケジューラ１０５ｄのメイン画面の１日表示（図１６）では、デバイスの一覧１００３が表示される。このデバイスの一覧１００３には、各印刷・製本用デバイスのデバイス名（図示省略）と種類（下）を文字で表示し、種類に応じたアイコンも表示される。各印刷・製本用デバイスのスケジュール予約は、スケジュール欄１００４に時間軸と共に表示される。スケジュールは１５分単位となっており、各１５分の時間帯は点線で区分されている。符号１００５などの矩形は１つのスケジュールを表しており、スケジュール矩形内には、スケジュール件名（上）と作業予定者（下）が表示されている。また、スケジュール矩形は、左側のデバイス一覧１００３に表示された印刷・製本用デバイスの予約時間を示しており、例えば符号１００５の矩形では、断裁機の９：００〜１１：００までの予約スケジュールを示している。スケジュール矩形が存在しない時間帯は、空き時間である。
【００５６】
デバイススケジューラ１０５ｄのメイン画面の週間表示（図１７）では、上部１１０１の各矩形では、印刷・製本用デバイスの１日毎のスケジュールが簡易表示されており、これらの矩形を選択すると、その矩形に係る印刷・製本用デバイスの１日の詳細なスケジュールが下部１１０２に表示される。
【００５７】
印刷・製本用デバイスを新規に登録する場合には、メニューより「デバイスの新規追加」を選択するか、デバイス一覧１００３などのデバイスが表示されていない領域をダブルクリックする。すると、図１８の「デバイスの新規追加」ダイアログ画面が表示される。この「デバイスの新規追加」ダイアログ画面では、ボックス１２０１にデバイス名を入力し、ボックス１２０２には、デバイスの種類として「モノクロプリンタ」、「カラープリンタ」、「大判プリンタ」、「製本機」、「スキャナ」、「その他」の中から選択して入力する。図１８の「デバイスの新規追加」ダイアログ画面でデバイスが追加されると、図１６のデバイス一覧１００３には、追加に係るデバイスのアイコン等が追加されて表示される。ボックス１２０３には、デバイスの場所についての情報を入力する。ボックス１２０４にはデバイスの処理能力を示す処理速度を入力する。そして、その処理速度の単位をボックス１２０５で指定する。処理速度の単位は、「枚／分」、「部／分」、「分／枚」の中から選択する。
【００５８】
「負荷設定」ボタン１２０６を押下すると、図１９の「印刷体裁による負荷の設定」ダイアログ画面が表示され、この「印刷体裁による負荷の設定」ダイアログ画面で、用紙サイズによる負荷設定、仕上げ設定による負荷設定を行う。負荷設定では、例えば、両面印刷を行うと全体で１０％処理が遅くなる場合、両面印刷の負荷設定を１１０％と設定する。なお、本実施形態では処理の負荷を百分率（％）で設定しているが、比率で設定してもよい。
【００５９】
「印刷体裁による負荷の設定」ダイアログ画面において負荷設定を行い、「ＯＫ」ボタンを押下すると、図１８の「デバイスの新規追加」ダイアログ画面に戻る。「デバイスの新規追加」ダイアログ画面の「ＯＫ」ボタン１２０７を押下すると、「デバイスの新規追加」ダイアログ画面で入力されたデバイス情報、及び「印刷体裁による負荷の設定」ダイアログ画面において入力された負荷設定情報が、デバイス情報としてスケジュールデータ保存部１０５ｅにファイル形式で追加・保存される。
【００６０】
次に、注文管理アプリケーション１０５ｂとデバイススケジューラ１０５ｄとの連携動作によるスケジュールの作成方法について説明する。
【００６１】
図２１は、スケジュールの追加操作方法を示す図である。図２１に示したように、デバイススケジューラ１０５ｄのメイン画面から注文管理アプリケーション１０５を呼び出すことにより、デバイススケジューラ１０５ｄのメイン画面の右側に注文管理アプリケーション１０５のＵＩ画面を重畳させて表示し、注文管理アプリケーション１０５のＵＩ画面の上部に表示されている注文リスト中の１つのサブオーダ（１件の注文中に複数の印刷物を依頼できるようになっており、その１つの印刷物を示す）を選択してドラッグし、デバイススケジューラ１０５ｄのメイン画面上の空き時間の領域にドロップする。
【００６２】
この操作により、ドラッグ＆ドロップされた注文と関連付けられたスケジュールの追加処理が開始される。この際、ドロップされた箇所が示す印刷・製本用デバイスがドロップされたサブオーダに係る印刷、製本処理を行うためのデバイスとして自動的に初期設定されると共に、ドロップされた箇所が示す時間帯が予約開始時間の初期値として自動的に設定される。
【００６３】
また、ドラッグ＆ドロップ操作により、注文管理アプリケーション１０５ｂからデバイススケジューラ１０５ｄに対して、注文管理アプリケーション１０５ｂにログインしているユーザの名前、注文ＩＤ、注文件名、サブオーダＩＤ、サブオーダ件名、ページ数（サブオーダの原稿ファイルのページ数の合計）、部数、注文の現在の作業担当者、印刷体裁・製本設定（仕上りサイズ、片面／両面印刷、製本の種類、ステイプル、パンチ穴、カラーモード、折り、中綴じ製本）の情報が渡される。デバイススケジューラ１０５ｄは、これらの情報を元に追加するスケジュール情報の初期値を自動的に設定する。
【００６４】
デバイススケジューラ１０５ｄのメイン画面上の空き時間の領域に、注文管理アプリケーション１０５のＵＩ画面上のサブオーダがドロップ（指示）されると、デバイススケジューラ１０５ｄは、図２０に示した「スケジュールの新規追加」ダイアログ画面を表示する。
【００６５】
この「スケジュールの新規追加」ダイアログ画面では、スケジュール情報としては、件名１４０１、通常予約とデバイスのメンテナンス予約を区別するための予約の種類１４０２、デバイス１４０３、予約日１４０４、予約時間（開始、終了時刻）１４０５、予約時間１４０６、警告表示１４０７、予想処理時間１４０８、予約者１４０９、作業者１４１０、コメント、関連オーダー（注文件名、注文ＩＤ、サブオーダ件名（商品件名）、サブオーダＩＤ（商品ＩＤ））１４１１がある。
【００６６】
デバイススケジューラ１０５ｄは、これらの情報（予約日１４０４、予想処理時間１４０８を除く）の初期値を注文管理アプリケーション１０５ｂから渡された情報及びドロップされた領域が示すデバイス、時間帯に基づいて自動的に決定して設定する。なお、デバイススケジューラ１０５ｄにより決定されたこれら情報の初期値は、「スケジュールの新規追加」ダイアログ画面上でユーザが変更することができる。
【００６７】
件名１４０１は、「＜注文件名＞−＜サブオーダ件名＞」の形式で示される。各スケジュール情報の初期値は、以下のようになる。すなわち、予約の種類１４０２の初期値は通常、デバイス１４０３の初期値はドロップされた領域が示すデバイス、予約日１４０４の初期値は、メイン画面でスケジュールが表示している日、予約時間１４０５の開始時刻の初期値は、サブオーダがドロップされた時間帯が示す時刻（９時１５〜３０分を示す時間帯にドロップされた場合、９時１５分を開始時刻とする）、終了時刻の初期値は、開始時刻に後述する予想処理時間を加え１５分単位に繰り上げた時刻となる。
【００６８】
また、予約者１４０９の初期値は、注文管理アプリケーション１０５ｂにログインしているユーザの名前、作業者１４１０の初期値は、注文の現在の作業担当者、コメントの初期値は空、関連オーダー１４１１の初期値は、注文管理アプリケーション１０５ｂから渡された値となる。なお、予想処理時間１４０８は、ページ数、部数、印刷体裁・製本設定とデバイスの処理能力より計算された時間が自動的に設定される。
【００６９】
このように、スケジュール表を作成・管理するために必要な各種の情報がドラッグ＆ドロップ操作に基づいて自動的に初期設定されるので、ユーザの負担が大幅に軽減され、スケジュール表を効率よく作成・管理することが可能となる。
【００７０】
次に、予想処理時間の計算方法を説明する。予想処理時間は、デバイススケジューラ１０５ｄが注文管理アプリケーション１０５ｂから渡されたページ数、部数、印刷体裁・製本設定（仕上りサイズ、片面／両面印刷、製本の種類、パンチ穴、カラーモード、折り）の情報と、デバイス追加時に図１８、図１９のダイアログ画面で指定された処理速度、処理速度の単位、印刷体裁・製本設定による負荷の設定に基づいて自動的に計算する。
【００７１】
この際、デバイスの処理速度として「１」以上の値が入力されている場合に限り、予想処理時間を計算する。デバイスの処理速度が入力されていない場合や、「０」が入力されている場合には、予想処理時間は未設定とする。
【００７２】
予想処理時間は、処理速度と処理速度の単位に基づいて基本的な処理時間を算出し、この基本的な処理時間を印刷体裁・製本体裁による負荷（オーバヘッド）に基づいて補正している。
【００７３】
印刷枚数の計算は、［サブオーダの原稿ファイルのページ数（ユーザが入稿時に指定したページ数）の合計］×［サブオーダの印刷部数］  により計算する。サブオーダの原稿ファイルのページ数が１つも入力されていない、或いは取得されていない場合は、印刷枚数は未設定とする。
【００７４】
印刷体裁・製本設定によるオーバヘッド（負荷）係数は、「仕上りサイズ」に対応する用紙サイズのオーバヘッド１００＋Ｘ％、印刷注文に設定されている各印刷体裁・製本設定に対応する各オーバヘッド１００＋Ｙ％とすると、オーバヘッド係数  ＝  （１００＋Ｘ＋ΣＹ）／１００として算出される。なお、ΣＹは、各印刷体裁・製本設定に対応する各オーバヘッド１００＋Ｙ％の合計である。
【００７５】
また、印刷・製本用デバイスの処理速度の単位として「枚／分」、「部／分」、「分／枚」のどれが設定されているかによって、予想処理時間を以下のように算出する。印刷・製本用デバイスの処理速度の単位として「枚／分」が設定されている場合は、「枚数／処理速度×オーバヘッド係数」という演算式により予想処理時間を算出する。なお、枚数が未設定である場合には、予想処理時間は未設定とする。印刷・製本用デバイスの処理速度の単位として「部／分」が設定されている場合は、「部数／処理速度×オーバヘッド係数」という演算式により予想処理時間を算出する。印刷・製本用デバイスの処理速度の単位として「分／枚」が設定されている場合は、「枚数×処理速度×オーバヘッド係数」という演算式により予想処理時間を算出する。
【００７６】
上記の各演算式は、処理速度と処理速度の単位に基づく基本的な処理時間を、印刷体裁・製本設定による負荷（オーバヘッド）に基づいて補正する演算式となっている。なお、計算された予想処理時間は、１分未満を繰り上げて１分単位とする。
【００７７】
このように、予想処理時間を自動的に算出することにより、ユーザは予想処理時間を予想する必要がなくなって負担が軽減され、印刷・製本用デバイスの使用予約のスケジューリングを効率よく行うことが可能となる。また、予想処理時間は、注文情報中のページ数、部数や、注文情報中の印刷体裁、製本体裁の情報に対応する負荷設定の情報等に基づいて厳密に算出されるので、ユーザが予想処理時間を予想する場合のように、予想処理時間が実際の処理時間より短くなるのを回避でき、印刷・製本用デバイスの有効利用を図ることが可能となる。
【００７８】
次に、予約終了時刻の調整について説明する。スケジュールの予約時間の設定単位時間が１５分であるため、予約終了時刻は繰り上げて１５分単位に合わせる。例えば、予想処理時間２０分、開始時刻１１：００  の場合は、終了時刻は１１：２０分ではなく、１１：３０とする。また、予想処理時間が未設定である場合には、予約処理時間が１５分であるものとして終了時刻を計算する。予約開始時刻と予約終了時刻の間の時間帯で既に予約されている他のスケジュールと重なってしまう場合は、既に予約されているスケジュールの予約開始時刻を、新規に追加しようとするスケジュールの終了時刻の初期値とする。
【００７９】
このように、スケジュールの予約時間を調整した結果、予約時間が予想処理時間に満たない場合、図２０に示した「スケジュールの新規追加」ダイアログ画面における予想処理時間１４０８の表示を赤字として、その旨をユーザに通知する。なお、図２０の「スケジュールの新規追加」ダイアログ画面において、ユーザが予約時間を変更することが可能である。追加しようとするスケジュールの予約時間１４０６は、青い矩形で表示しているが、そのうち他のスケジュールと重なっている時間帯は赤い矩形で表示している。さらに、他のスケジュールと重なっている旨のガイダンス情報１４０７も表示するようにしている。なお、他のスケジュールは灰色の矩形で表示している。この１４０６及び１４０７の警告提示により、ドロップ（指示）がなされた電子原稿の予約を満たせない場合にオペレータに警告を行い、不適切なスケジュールの新規追加を防ぐことができる。この指示がなされた電子原稿の処理予約を満たせるか否かは指示がなされた電子原稿に対する予測処理時間と、使用予約表の空き状況とに基づき本システムが自動的に判断する。電子原稿に対する予測処理時間は上述した通りとする。
【００８０】
図２０の「スケジュールの新規追加」ダイアログ画面上の「詳細」ボタン１４１２を押下することにより、新規追加に係るスケジュールと関連する注文情報及びサブオーダ情報を関連オーダー欄１４１１に表示することができ、印刷・製本用デバイスの使用予約のスケジュール表を効率よく作成することが可能となる。
【００８１】
図２０の「スケジュールの新規追加」ダイアロ・ボックス上の「ＯＫ」ボタン１４１３を押下することにより、新規追加に係るスケジュール情報が確定される。この際、デバイススケジューラ１０５ｄは、図２０のダイアログ画面で設定された各種情報、及び注文管理アプリケーション１０５ｂから渡された注文情報、印刷体裁・製本設定、ページ数、部数などをスケジュールデータと関連付けて収納したファイルを作成し、スケジュールデータ保存部１０５ｅに保存する。
【００８２】
デイバスの処理速度、処理速度の単位、負荷の設定が変更された場合は、デバイススケジューラ１０５ｄは、予想処理時間の再計算を行う。計算方法は前述の方法と同じである。
【００８３】
また、スケジュールのプロパティ（図２０と同様）で他のデバイスに変更された場合や、図２２に示すように、スケジュールを示す矩形を他のデバイスに係る領域へドラッグ＆ドロップすることにより、一旦決定したスケジュールが変更された場合も、デバイススケジューラ１０５ｄは、予想処理時間の再計算を行う。
【００８４】
なお、本発明は、上記の実施形態に限定されることなく、例えば、図１８に示した「デバイスの新規追加」ダイアログ画面において、デバイスの種類１２０２を選択すると、処理速度の単位１２０５を自動的に設定するように構成することにより、ユーザの手間を省き、より一層、効率よくスケジュール管理を行うことも可能である。例えば、モノクロプリンタ、カラープリンタ、スキャナ等の場合には「枚／分」、製本機の場合には「部／分」、大判プリンタの場合には「分／枚」を自動的に設定する。
【００８５】
また、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００８６】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８７】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した処理に対応するプログラムコードが格納されることになる。
【図面の簡単な説明】
【００８８】
【図１】本発明の実施の形態に係る電子入稿システムの概略構成を示すシステム構成図である。
【図２】上記電子入稿システムのモジュール構成を示すブロック図である。
【図３】原稿ファイルを入稿するためのＵＩ画面例を示す図である。
【図４】印刷体裁を設定するためのＵＩ画面例を示す図である。
【図５】注文管理アプリケーションのＵＩ画面例を示す図である。
【図６】商品登録アプリケーションのＵＩ画面例を示す図である。
【図７】商品データのフォーマットを示す図である。
【図８】注文データのフォーマット（ＸＭＬ、ＤＴＤ）を示す図である。
【図９】注文データのフォーマット（ＸＭＬ、ＤＴＤ）を示す図である（図８の続き）。
【図１０】印刷注文時の注文データ例（ＸＭＬのデータの一部）を示す図である。
【図１１】印刷注文時の注文データ例（ＸＭＬのデータの一部）を示す図である（図１０の続き）。
【図１２】印刷注文時の注文データ例（ＸＭＬのデータの一部）を示す図である（図１１の続き）。
【図１３】印刷注文時の注文データ例（ＸＭＬのデータの一部）を示す図である（図１２の続き）。
【図１４】商品注文時の注文データ例（ＸＭＬのデータの一部）を示す図である。
【図１５】商品注文時の注文データ例（ＸＭＬのデータの一部）を示す図である（図１４の続き）。
【図１６】デバイススケジューラのＵＩ画面例（１日表示）を示す図である。
【図１７】デバイススケジューラのＵＩ画面例（週間表示）を示す図である。
【図１８】デバイススケジューラのデバイス追加ダイアログ画面を示す図である。
【図１９】デバイススケジューラのデバイスの印刷体裁による負荷の設定ダイアログ画面を示す図である。
【図２０】デバイススケジューラのスケジュール追加ダイアログ画面を示す図である。
【図２１】ドラッグ＆ドロップ操作によるスケジュールの追加操作方法を示す図である。
【図２２】ドラッグ＆ドロップ操作によるスケジュールの変更操作方法を示す図である。
【図２３】注文データのフォーマット（ＸＭＬ、ＤＴＤ）を示す図である（図９の続き）。
【図２４】注文データのフォーマット（ＸＭＬ、ＤＴＤ）を示す図である（図２３の続き）。
【符号の説明】
【００８９】
１０１：ネットワーク、１０２：印刷注文クライアント、１０３：電子入稿サーバ、１０３ａ：発注側Ｉ／Ｆ部、１０３ｂ：注文情報管理部、１０３ｃ：受注側Ｉ／Ｆ部、１０４：商品登録クライアント、１０４ｂ：商品データ管理部、１０４ｃ：商品データ保存部、１０５：オペレータ用クライアント、１０５ｂ：注文管理アプリケーション、１０５ｃ：注文データ保存部、１０５ｄ：デバイススケジューラ、１０５ｅ：スケジュールデータ保存部、１０６：プリンタ、１０７：製本機
【図１】
2005208689.tif 000003
【図２】
2005208689.tif 000004
【図３】
2005208689.tif 000005
【図４】
2005208689.tif 000006
【図５】
2005208689.tif 000007
【図６】
2005208689.tif 000008
【図７】
2005208689.tif 000009
【図８】
2005208689.tif 000010
【図９】
2005208689.tif 000011
【図１０】
2005208689.tif 000012
【図１１】
2005208689.tif 000013
【図１２】
2005208689.tif 000014
【図１３】
2005208689.tif 000015
【図１４】
2005208689.tif 000016
【図１５】
2005208689.tif 000017
【図１６】
2005208689.tif 000018
【図１７】
2005208689.tif 000019
【図１８】
2005208689.tif 000020
【図１９】
2005208689.tif 000021
【図２０】
2005208689.tif 000022
【図２１】
2005208689.tif 000023
【図２２】
2005208689.tif 000024
【図２３】
2005208689.tif 000025
【図２４】
2005208689.tif 000026